(57)【要約】本発明にはインタラクティブコンテンツバージョン情報が記録された情報保存媒体、その記録方法及び再生方法が開示されている。情報保存媒体のコンテンツを製作する製作道具を通じて製作されたマークアップ文書が、この製作道具より低いバージョンの再生装置でも互換性を有してディスプレイされるように作成されていても、製作道具が再生装置の支援する規格バージョンより高い場合、この製作道具によって自動的にマークアップ文書に書き込まれる規格バージョン情報によって正しく再生されないこともある。したがって、本発明は再生装置が再生可能な最小限のインタラクティブコンテンツバージョン情報及び／または最小限のマルチメディアバージョン情報を追加して、さらに互換性を有してインタラクティブコンテンツを円滑に再生しうる。
2005523555.tif 000002
【特許請求の範囲】
【請求項１】
オーディオ及び／またはビデオ（ＡＶ）データを含むＡＶデータと、
前記ＡＶデータに基づいて得られたＡＶ画面をインタラクティブプレゼンテーションモードで再生するために前記ＡＶ画面が出力される表示窓が定義されたマークアップ文書と、
再生装置が再生可能な最小限のインタラクティブコンテンツバージョン情報と、を含む情報保存媒体。
【請求項２】
前記最小限のインタラクティブコンテンツバージョン情報は、前記マークアップ文書内の再生制御情報ファイルに保存されることを特徴とする請求項１に記載の情報保存媒体。
【請求項３】
前記最小限のインタラクティブコンテンツバージョン情報は、前記マークアップ文書内の再生制御情報ファイルのための管理情報テーブルに保存されることを特徴とする請求項２に記載の情報保存媒体。
【請求項４】
オーディオ及び／またはビデオデータを含むＡＶデータと、
前記ＡＶデータに基づいて得られたＡＶ画面をインタラクティブプレゼンテーションモードで再生するために前記ＡＶ画面が出力される表示窓が定義されたマークアップ文書とを含み、
前記マークアップ文書内には前記マークアップ文書の規格バージョン情報及び前記マークアップ文書を解釈しうる最小限のＵＡのバージョン情報を含む情報保存媒体。
【請求項５】
前記マークアップ文書の規格バージョン情報及び前記最小限のＵＡのバージョン情報は、前記マークアップ文書のための再生制御情報ファイルに保存されることを特徴とする請求項４に記載の情報保存媒体。
【請求項６】
前記マークアップ文書の規格バージョン情報及び前記最小限のＵＡのバージョン情報は、前記マークアップ文書内の再生制御情報ファイルのための管理情報テーブルに保存されることを特徴とする請求項４に記載の情報保存媒体。
【請求項７】
前記マークアップ文書内のマルチメディア要素に関するバージョン情報及びこのマルチメディア要素を再生可能な最小限のビューアバージョン情報がさらに保存されていることを特徴とする請求項４に記載の情報保存媒体。
【請求項８】
前記マルチメディア要素に関するバージョン情報及びこのマルチメディア要素を再生装置が再生可能な最小限のビューアバージョン情報は、前記マークアップ文書内の再生制御情報ファイルに保存されることを特徴とする請求項７に記載の情報保存媒体。
【請求項９】
前記マルチメディア要素に関するバージョン情報及びこのマルチメディア要素を再生可能な最小限のビューアバージョン情報は、前記マークアップ文書内の＜ＭＥＴＡ＞タグ内に保存されることを特徴とする請求項７に記載の情報保存媒体。
【請求項１０】
オーディオデータ及び／またはビデオデータを含むＡＶデータと、
前記ＡＶデータに基づいて得られたＡＶ画面をインタラクティブプレゼンテーションモードで再生するために前記ＡＶ画面が出力される表示窓が定義されたマークアップ文書と、
再生装置が再生可能な最小限のマークアップバージョン情報及び／または最小限のマルチメディアバージョン情報とを含む情報保存媒体。
【請求項１１】
前記最小限のマークアップバージョン情報及び最小限のマルチメディアバージョン情報は、前記マークアップ文書内の再生制御情報ファイルに保存されることを特徴とする請求項１０に記載の情報保存媒体。
【請求項１２】
前記最小限のマルチメディアバージョン情報は、前記マークアップ文書内の＜ＭＥＴＡ＞タグ内に保存することを特徴とする請求項１０に記載の情報保存媒体。
【請求項１３】
（ａ）オーディオ及び／またはビデオ（ＡＶ）データを記録する段階と、
（ｂ）前記ＡＶデータが画面に出力される表示窓が定義されたマークアップ文書を記録し、前記マークアップ文書内に前記マークアップ文書の規格バージョン情報及び再生装置が再生可能な最小限のインタラクティブコンテンツバージョン情報を記録する段階とを含む記録方法。
【請求項１４】
前記（ｂ）段階では、前記最小限のインタラクティブコンテンツバージョン情報を前記マークアップ文書内の再生制御情報ファイルに記録することを特徴とする請求項１３に記載の記録方法。
【請求項１５】
前記（ｂ）段階では、前記最小限のインタラクティブコンテンツバージョン情報を前記マークアップ文書内の再生制御情報ファイルのための管理情報テーブルに記録することを特徴とする請求項１４に記載の記録方法。
【請求項１６】
（ａ）オーディオ及び／またはビデオ（ＡＶ）データを記録する段階と、
（ｂ）前記ＡＶデータが画面に出力される表示窓が定義されたマークアップ文書を記録する段階と、
（ｃ）再生装置が再生可能な最小限のマークアップバージョン情報及び／または最小限のマルチメディアバージョン情報を記録する段階と、を含む記録方法。
【請求項１７】
前記（ａ）段階は、前記ＡＶデータをビデオディレクトリに記録する段階であり、
前記（ｂ）段階は、前記マークアップ文書をインタラクティブディレクトリに記録する段階であり、
前記（ｃ）段階は、前記最小限のマークアップバージョン情報及び／または最小限のマルチメディアバージョン情報を前記インタラクティブディレクトリ内の再生制御情報ファイルに記録することを特徴とする請求項１６に記載の記録方法。
【請求項１８】
前記（ａ）段階は、前記ＡＶデータをビデオディレクトリに記録する段階であり、
前記（ｂ）段階は、前記マークアップ文書をインタラクティブディレクトリに記録する段階であり、
前記（ｃ）段階は、前記最小限のマークアップバージョン情報を前記インタラクティブディレクトリ内の再生制御情報ファイルに記録し、前記最小限のマルチメディアバージョン情報を前記マークアップ文書内に記録することを特徴とする請求項１６に記載の記録方法。
【請求項１９】
前記（ｃ）段階は、前記最小限のマルチメディアバージョン情報を前記マークアップ文書内の＜ＭＥＴＡ＞タグ内に記録することを特徴とする請求項１８に記載の記録方法。
【請求項２０】
情報保存媒体に記録されたＡＶデータをインタラクティブプレゼンテーションモードで再生する方法において、
（ａ）前記情報保存媒体から前記ＡＶデータと共に再生されるためのマークアップ文書の規格バージョン情報、及び再生装置が再生可能な最小限のインタラクティブコンテンツバージョン情報を読込む段階と、
（ｂ）前記マークアップ文書の規格バージョン情報が前記情報保存媒体を読込む再生装置のバージョン情報より高くても、前記最小限のインタラクティブコンテンツバージョン情報によって前記マークアップ文書を解釈してディスプレイする段階とを含む再生方法。
【請求項２１】
前記（ｂ）段階は、
（ｂ１）前記マークアップ文書の規格バージョン情報と再生装置のバージョン情報とを確認する段階と、
（ｂ２）前記（ｂ１）段階で、確認結果が前記マークアップ文書の規格バージョン情報が再生装置のバージョン情報より高ければ、前記最小限のインタラクティブコンテンツバージョン情報と前記再生装置のバージョン情報とを確認する段階と、
（ｂ３）前記（ｂ２）段階で、確認結果が前記最小限のインタラクティブコンテンツバージョン情報が再生装置のバージョン情報より高くなければ、マークアップ文書を解釈してディスプレイする段階とを含むことを特徴とする請求項２０に記載の再生方法。
【請求項２２】
前記（ｂ）段階は、
（ｂ４）前記（ｂ１）段階で、確認結果が、前記マークアップ文書の規格バージョン情報が再生装置のバージョン情報より高くなければ、前記マークアップ文書を解釈してディスプレイする段階をさらに含むことを特徴とする請求項２１に記載の再生方法。
【請求項２３】
前記（ｂ）段階は、
（ｂ５）前記（ｂ２）段階で、確認結果が、前記最小限のインタラクティブコンテンツバージョン情報が再生装置のバージョン情報より高ければ、前記再生装置では前記情報保存媒体の再生を支援できないという警告メッセージをディスプレイする段階をさらに含むことを特徴とする請求項２２に記載の再生方法。
【請求項２４】
前記最小限のインタラクティブコンテンツバージョン情報は、前記マークアップ文書内の再生制御情報ファイルに保存されていることを特徴とする請求項２１に記載の再生方法。
【請求項２５】
前記最小限のインタラクティブコンテンツバージョン情報は、前記マークアップ文書内の再生制御情報ファイルのための管理情報テーブルに保存されていることを特徴とする請求項２１に記載の再生方法。
【請求項２６】
前記方法は、
（ｃ）前記マークアップ文書内にテキスト以外のマルチメディア要素の存否を判断する段階と、
（ｄ）前記マルチメディア要素が存在すれば、前記マークアップ文書内のマルチメディア要素の現在バージョンとマルチメディア要素を再生可能な最小ビューアバージョンとを確認して確認結果によって前記マルチメディア要素を再生する段階とをさらに含むことを特徴とする請求項２０に記載の再生方法。
【請求項２７】
前記（ｄ）段階は、
（ｄ１）前記マルチメディア要素の現在バージョンが再生装置内のビューアバージョンより高いか否かを判断する段階と、
（ｄ２）前記マルチメディア要素の現在バージョンが再生装置内のビューアバージョンより高ければ、前記マルチメディア要素を再生可能な最小ビューアバージョンが再生装置内のビューアバージョンより高いか否かを判断する段階と、
（ｄ３）前記（ｄ２）段階で、判断結果が前記マルチメディア要素を再生可能な最小ビューアバージョンが現在再生装置内のビューアバージョンより高くないか、または前記（ｄ１）段階で、判断結果が前記マルチメディア要素の現在バージョンが再生装置内のビューアバージョンより高くなければ、マルチメディア要素を再生する段階とを含むことを特徴とする請求項２６に記載の再生方法。
【請求項２８】
前記方法は、
（ｄ４）前記（ｄ２）段階で、判断結果が前記マルチメディア要素を再生可能な最小ビューアバージョンが現在再生装置内のビューアバージョンより高ければ、当該マルチメディア要素のレイアウト領域に代替要素を再生する段階をさらに含むことを特徴とする請求項２７に記載の再生方法。
【請求項２９】
情報保存媒体に記録されたＡＶデータをインタラクティブプレゼンテーションモードで再生する方法において、
（ａ）前記情報保存媒体から読出される前記ＡＶデータと共に再生されるためのマークアップ文書内にテキスト以外のマルチメディア要素の存否を判断する段階と、
（ｂ）前記マルチメディア要素が存在すれば、前記マークアップ文書内のマルチメディア要素の現在バージョンとマルチメディア要素を再生可能な最小ビューアバージョンとを確認して確認結果によって前記マルチメディア要素を再生する段階とを含む再生方法。
【請求項３０】
前記（ｂ）段階は、
（ｂ１）前記マルチメディア要素の現在バージョンが再生装置内のビューアバージョンより高いか否かを判断する段階と、
（ｂ２）前記マルチメディア要素の現在バージョンが再生装置内のビューアバージョンより高ければ、マルチメディア要素を前記再生可能な最小ビューアバージョンが再生装置内のビューアバージョンより高いか否かを判断する段階と、
（ｂ３）前記（ｂ２）段階で、判断結果が前記再生可能な最小ビューアバージョンが現在再生装置内のビューアバージョンより高くないか、または前記（ｂ１）段階で、判断結果が前記マルチメディア要素の現在バージョンが再生装置内のビューアバージョンより高くなければ、マルチメディア要素を再生する段階とを含むことを特徴とする請求項２９に記載の再生方法。
【請求項３１】
前記方法は、
（ｂ４）前記（ｂ２）段階で、判断結果が前記再生可能な最小ビューアバージョンが現在再生装置内のビューアバージョンより高ければ、当該マルチメディア要素のレイアウト領域に代替要素を再生する段階をさらに含むことを特徴とする請求項３０に記載の再生方法。
【発明の詳細な説明】
【技術分野】
【０００１】
本発明はインタラクティブコンテンツ情報保存媒体分野に係り、特にインタラクティブプレゼンテーションモードを支援する再生装置が再生可能な最小限のマークアップバージョン情報及び／または最小限のマルチメディアバージョン情報を保存する情報保存媒体、その記録方法及び再生方法に関する。
【背景技術】
【０００２】
ＰＣ（Ｐｅｒｓｏｎａｌ  Ｃｏｍｐｕｔｅｒ）を基盤とするインタラクティブプレゼンテーションモードで再生可能なインタラクティブＤＶＤ（Ｄｉｇｉｔａｌ  Ｖｅｒｓａｔｉｌｅ  Ｄｉｓｃ）が提案されている。インタラクティブＤＶＤとは、ＡＶ（Ａｕｄｉｏ  ａｎｄ／ｏｒ  Ｖｉｄｅｏ）データと共にマークアップ言語文書（以下、マークアップ文書という）が記録されたＤＶＤを意味する。インタラクティブＤＶＤに記録されたＡＶデータは、一般ＤＶＤと同じに再生されたＡＶデータがディスプレイされるビデオモードで再生し、再生されたＡＶデータがマークアップ文書によって定義される表示窓を通じてディスプレイされるインタラクティブプレゼンテーションモードで再生しうる。ユーザによってインタラクティブプレゼンテーションモードが選択されれば、ＤＶＤ再生装置に搭載されたビューアは、インタラクティブＤＶＤに記録されているマークアップ文書を解釈しかつディスプレイする。マークアップ文書の表示窓にはユーザが選択したＡＶデータが表示される。マークアップ文書としては代表的にＨＴＭＬ文書が挙げられる。
【０００３】
既存のインタラクティブプレゼンテーションモードのためのマークアップ文書のコンテンツ（以下、インタラクティブコンテンツという）の例は、次の＜例１＞及び＜例２＞の通りである。
【０００４】
【表１】
2005523555.tif 000003
前記の＜例１＞及び＜例２＞に示されたように、マークアップ言語を基盤とするインタラクティブコンテンツの規格バージョンを、各マークアップ文書の始めに文書タイプＤＯＣＴＹＰＥを記述しつつ宣言している。
【０００５】
また、情報保存媒体に保存されたインタラクティブコンテンツは、多様なマルチメディア要素（例えば、イメージファイル、フラッシュファイル、動映像ファイルなど）の集合であって多様なフォーマットがマークアップ文書の表示窓を通じて表示される。このようなフォーマットはそれぞれのバージョンを有しているが、このようなバージョンを理解し、当該フォーマットを解釈して画面に表示することがビューアの機能である。ビューアは、インタラクティブコンテンツが保存された情報保存媒体を再生する再生装置に設置されるが、ＰＣとは違って家庭用機器に設置されたビューアのアップグレードは非常に不便である。したがって、家庭用機器で再生されるように製作された情報保存媒体に含まれたインタラクティブコンテンツは、ビューアで認識しうるバージョンにのみ製作されなければ正しい再生を保障できない。しかし、現在ＰＣ基盤の状況を見れば、インタラクティブコンテンツを形成しているそれぞれのフォーマットバージョンが向上し続けており、これにより、これを解釈して表示するようにビューアのバージョンも向上している。このような現状で、家庭用機器でインタラクティブコンテンツを円滑に再生するために２つの問題点がある。第一は、インタラクティブコンテンツを表示させうるマークアップ言語バージョンによる問題点であり、第二は、マークアップ文書によって表示される多様なフォーマットのマルチメディア要素のバージョンによる問題点である。
【０００６】
まず、マークアップ言語バージョンによる問題点は、次の通りである。
【０００７】
情報保存媒体に保存されるインタラクティブコンテンツは、これを製作する製作道具を通じてグラフィックユーザインターフェース（Ｇｒａｐｈｉｃ  Ｕｓｅｒ  Ｉｎｔｅｒｆａｃｅ：ＧＵＩ）環境で作られるが、マークアップ言語のバージョン向上によってこれを製作する製作道具もバージョンの向上したマークアップ言語を作成するように作られる。
【０００８】
すなわち、製作者は、現在再生装置で支援するマークアップ言語バージョンより高いマークアップ文書を支援する製作道具をもってインタラクティブコンテンツを製作するが、これを通じて製作されたマークアップ文書が、以前バージョンのみ支援しうる再生装置でも互換性を有して再生されるように作成されていても、製作道具が再生装置の支援する規格バージョンより高い場合、この製作道具によって自動的にマークアップ文書に書き込まれる規格バージョン情報によって正しい再生にならないこともある。
【０００９】
次いで、マークアップ言語によって表示される多様なフォーマットのマルチメディア要素のバージョンによる問題点である。
【００１０】
現在ウェブ環境で見られる複数のマークアップ文書は、マークアップ言語を利用したテキストだけではなくＪＰＧ（Ｊｏｉｎｔ  Ｐｉｃｔｕｒｅ−ｅｘｐｅｒｔｓ  Ｇｒｏｕｐ）、ＧＩＦ（Ｇｒａｐｈｉｃ  Ｉｍａｇｅ  Ｆｉｌｅ）のようなフォーマットを有するイメージファイル及びＳＷＦ形態の拡張子フォーマットを有するフラッシュファイルなど多様なマルチメディア要素（例えば、リソースファイルという）がさらに具現されている。このような要素は、自体的にバージョン情報を有するが、例えば、フラッシュファイルの場合、現在バージョン６.０（ＭＸと呼ばれる）まで出ているが、このような要素もマークアップ文書と同様に、上位バージョンの再生装置は下位バージョンを再生しても、下位バージョンの再生装置は上位バージョンに製作されたフラッシュファイルを再生できなくなっている。したがって、マークアップ言語は家庭用機器に設置されたビューアが支援するバージョンと一致しても、マークアップ文書に含まれたフラッシュファイルバージョンが家庭用機器で支援するバージョンより高い場合、フラッシュファイルは正しく再生されなくなる。したがって、製作者が上位バージョンのフラッシュエディタを利用して下位バージョンのビューアでも認識しうる内容のフラッシュファイルを製作しても、上位バージョン情報を有するフラッシュファイルバージョンよりも低い再生装置ではこれを再生できなくなる。
【発明の開示】
【発明が解決しようとする課題】
【００１１】
本発明の目的は、インタラクティブプレゼンテーションモードを支援する再生装置が再生可能な最小限のインタラクティブコンテンツバージョン情報を保存する情報保存媒体、その記録方法及び再生方法を提供することである。
【００１２】
本発明の他の目的は、互換性のためにインタラクティブプレゼンテーションモードのための再生制御情報ファイルに、製作道具によってあらかじめ宣言される規格バージョン情報だけではなく、マークアップ文書を解釈しうる最小限のユーザエージェント（ＵＡ：Ｕｓｅｒ  Ａｇｅｎｔ）のバージョン情報を保存する情報保存媒体、その記録方法及び再生方法を提供することである。
【００１３】
本発明のさらに他の目的は、インタラクティブプレゼンテーションモードを支援するための再生制御情報データに再生装置が再生可能な最小限のマークアップバージョン情報を支援するビューアのバージョン情報が追加された情報保存媒体、その記録方法及び再生方法を提供することである。
【００１４】
本発明のさらに他の目的は、マークアップ言語と同様にインタラクティブコンテンツに使われるマルチメディア要素もこれらが円滑に再生されうる最小限のビューアのバージョン情報が追加された情報保存媒体、その記録方法及び再生方法を提供することである。
【課題を解決するための手段】
【００１５】
本発明によって、前記目的はオーディオデータ及び／またはビデオデータを含むＡＶデータと、前記ＡＶデータに基づいて得られたＡＶ画面をインタラクティブプレゼンテーションモードで再生するために前記ＡＶ画面が出力される表示窓が定義されたマークアップ文書と、再生装置が再生可能な最小限のインタラクティブコンテンツバージョン情報とを含む情報保存媒体によって達成される。
【００１６】
前記最小限のインタラクティブコンテンツバージョン情報は、前記マークアップ文書内の再生制御情報ファイルに保存されることが望ましく、前記マークアップ文書内の再生制御情報ファイルのための管理情報テーブルに保存されることがさらに望ましい。
【００１７】
前記目的は、オーディオデータ及び／またはビデオデータを含むＡＶデータと、前記ＡＶデータに基づいて得られたＡＶ画面をインタラクティブプレゼンテーションモードで再生するために前記ＡＶ画面が出力される表示窓が定義されたマークアップ文書とを含み、前記マークアップ文書内には前記マークアップ文書の規格バージョン情報及び前記マークアップ文書を解釈しうる最小限のＵＡのバージョン情報を含む情報保存媒体によって達成される。
【００１８】
前記情報保存媒体には前記マークアップ文書内のマルチメディア要素についてのバージョン情報及びこのマルチメディア要素を再生可能な最小限のビューアバージョン情報がさらに保存されていることが望ましい。
【００１９】
また、前記目的は、オーディオデータ及び／またはビデオデータを含むＡＶデータと、前記ＡＶデータに基づいて得られたＡＶ画面をインタラクティブプレゼンテーションモードで再生するために前記ＡＶ画面が出力される表示窓が定義されたマークアップ文書と、再生装置が再生可能な最小限のマークアップバージョン情報及び／または最小限のマルチメディアバージョン情報とを含む情報保存媒体によって達成される。
【００２０】
前記最小限のマークアップバージョン情報及び最小限のマルチメディアバージョン情報は、前記マークアップ文書内の再生制御情報ファイルに保存されることが望ましい。前記最小限のマルチメディアバージョン情報は、前記マークアップ文書内の＜ＭＥＴＡ＞タグ内に保存されることも望ましい。
【００２１】
本発明の他の分野によれば、前記目的は、（ａ）ＡＶデータを記録する段階と、（ｂ）前記ＡＶデータが画面に出力される表示窓が定義されたマークアップ文書を記録し、前記マークアップ文書内に前記マークアップ文書の規格バージョン情報及び再生装置が再生可能な最小限のインタラクティブコンテンツバージョン情報を記録する段階と、を含む記録方法によって達成される。
【００２２】
また、前記目的は、（ａ）ＡＶデータを記録する段階と、（ｂ）前記ＡＶデータが画面に出力される表示窓が定義されたマークアップ文書を記録する段階と、（ｃ）再生装置が再生可能な最小限のマークアップバージョン情報及び／または最小限のマルチメディアバージョン情報を記録する段階とを含む記録方法によって達成される。
【００２３】
本発明のさらに他の分野によれば、前記目的は、情報保存媒体に記録されたＡＶデータをインタラクティブプレゼンテーションモードで再生する方法において、（ａ）前記情報保存媒体から前記ＡＶデータと共に再生されるためのマークアップ文書の規格バージョン情報、及び再生装置が再生可能な最小限のインタラクティブコンテンツバージョン情報を読込む段階と、（ｂ）前記マークアップ文書の規格バージョン情報が前記情報保存媒体を読込む再生装置のバージョン情報より高くても、前記最小限のインタラクティブコンテンツバージョン情報によって前記マークアップ文書を解釈してディスプレイする段階とを含む再生方法によって達成される。
【００２４】
前記再生方法は、（ｃ）前記マークアップ文書内にテキスト以外のマルチメディア要素の存否を判断する段階と、（ｄ）前記マルチメディア要素が存在すれば、前記マークアップ文書内のマルチメディア要素の現在バージョンとこれを再生可能な最小ビューアバージョンとを確認して、確認結果によって前記マルチメディア要素を再生する段階とをさらに含む。
【００２５】
また、前記目的は、情報保存媒体に記録されたＡＶデータをインタラクティブプレゼンテーションモードで再生する方法において、（ａ）前記情報保存媒体から読出される前記ＡＶデータと共に再生されるためのマークアップ文書内にテキスト以外のマルチメディア要素の存否を判断する段階と、（ｂ）前記マルチメディア要素が存在すれば、前記マークアップ文書内のマルチメディア要素の現在バージョンとこれを再生可能な最小ビューアバージョンとを確認して、確認結果によって前記マルチメディア要素を再生する段階とを含む再生方法によって達成される。
【発明を実施するための最良の形態】
【００２６】
以下、添付された図面を参照して、本発明の望ましい実施例を詳細に説明する。
【００２７】
本明細書でマークアップ文書は、ＨＴＭＬ、ＸＭＬのようなマークアップ言語で作成された文書だけではなく、スクリプト言語（例、Ｊａｖａ（登録商標）スクリプト）または実行コード（例、Ｊａｖａ（登録商標）アプレット）で作成されたソースコードまたは実行コードがリンクまたは挿入された文書を総称し、さらにマークアップ文書にリンクまたは挿入されて画面表示に使われる全てのファイルを網羅する意味として使われる。すなわち、マークアップ文書は、ＡＶデータをインタラクティブプレゼンテーションモードで再生するために必要な一種のアプリケーションである。最小限のインタラクティブコンテンツバージョン情報とは、ビューアまたはブラウザのようなＵＡを搭載した再生装置が再生する最小限のマークアップ文書のバージョン情報を称する。
【００２８】
図１は、本発明の望ましい実施例による再生装置のブロック図である。再生装置は、リーダ１、コントローラ２、デコーダ４及びブレンダー５を含む。コントローラ２にはプレゼンテーションエンジン３が搭載されている。
【００２９】
リーダ１は、本実施例によるディスク、インタラクティブＤＶＤ  １００からＡＶデータ、マークアップ文書及び再生制御情報を読出す。コントローラ２は、ユーザ入力によって代表的な例としてビデオモードまたはインタラクティブプレゼンテーションモードによって再生されるようにプレゼンテーションエンジン３、デコーダ４及びブレンダー５を制御する。
【００３０】
プレゼンテーションエンジン３は、ソフトウェア観点でクライアント解釈プログラム言語、例えば、Ｊａｖａ（登録商標）Ｓｃｒｉｐｔ、Ｊａｖａ（登録商標）、ＡＳＰ、ＰＨＰなどを解釈して実行する解釈エンジンである。さらに、プレゼンテーションエンジン３は、プラグインをさらに含みうる。プラグインは、マークアップ文書に含まれるか、またはマークアップ文書にリンクされた多様なフォーマットのファイルを開く役割を行う。インタラクティブプレゼンテーションモードでプレゼンテーションエンジン３は、ＤＶＤまたはネットワークの所定ノードからマークアップ文書をもってきた後に解釈して、デコーダ４から出力されるＡＶデータストリームがディスプレイされるための表示窓の位置を確認する。ブレンダー５は、デコーディングされたＡＶデータストリームがマークアップ文書によって定義された表示窓にディスプレイされるように、すなわち、ＡＶ画面がマークアップ画面に埋め込まれるように、ＡＶデータストリームと解釈されたマークアップ文書とをブレンドして再生装置に連結されたディスプレイ装置２００にディスプレイする。
【００３１】
特に、本発明でプレゼンテーションエンジン３は、リーダ１によって読出されたマークアップ文書のための再生制御情報ファイルを探して、再生制御情報ファイル内の最初文書の製作時に製作道具によってあらかじめ宣言された規格バージョンが再生装置内のＵＡの支援するバージョンより高いか否かを確認して、あらかじめ宣言された規格バージョンがＵＡの支援するバージョンより高ければ、再び再生制御情報ファイル内の最小限のインタラクティブコンテンツバージョン情報を読込み、読込まれた最小限のインタラクティブコンテンツバージョンが現在再生装置のＵＡのバージョンより高ければ、現在再生装置が装着されたディスクを支援できないという警告メッセージをディスプレイ装置２００にディスプレイする。一方、製作道具によってあらかじめ宣言された規格バージョンが現在再生装置内のＵＡのバージョンより高くないか、または最小限のインタラクティブコンテンツバージョンが現在再生装置内のＵＡバージョンより高くなければ、プレゼンテーションエンジン３はマークアップ文書をリーダ１を通じて読出し、読出したマークアップ言語を解釈して実行する。
【００３２】
また、プレゼンテーションエンジン３は、マークアップ文書内にテキスト以外のマルチメディア要素の存否を判断し、再生制御情報ファイル内に存在するか、またはマークアップ文書内の＜ＨＥＡＤ＞タグ内の＜ＭＥＴＡ＞タグを利用して定義されているインタラクティブコンテンツとして使われるマルチメディア要素の現在バージョン及びこれらが円滑に再生されうる最小限のビューア情報を確認する。プレゼンテーションエンジン３は、＜ＭＥＴＡ＞タグ内のマルチメディア要素の現在バージョンが再生装置内のビューアバージョンより高いか否かを判断し、マルチメディア現在バージョンが再生装置内のビューアバージョンより高ければ、再び再生可能な最小ビューアバージョンが再生装置内のビューアバージョンより高いか否かを判断する。プレゼンテーションエンジン３は、再生可能な最小ビューアバージョンが再生装置内のビューアバージョンより高ければ、当該マルチメディア要素のレイアウト領域に代替要素（文字メッセージまたはグラフィックメッセージ）を再生し、マルチメディア要素の現在バージョンが再生装置内のビューアバージョンより高くないか、または再生可能な最小ビューアバージョンが再生装置内のビューアバージョンより高くなければ、当該マルチメディア要素を解釈して実行する。
【００３３】
図２は、本発明が適用されるインタラクティブＤＶＤのディレクトリ構造の一例である。ルートディレクトリにはＡＶデータが含まれたビデオディレクトリＶＩＤＥＯ＿ＴＳ、オーディオデータが含まれたオーディオディレクトリＡＵＤＩＯ＿ＴＳ、インタラクティブプレゼンテーションモードを支援するための情報が含まれたインタラクティブプレゼンテーションディレクトリＤＶＤ＿ＥＮＡＶが設けられている。ここで、オーディオディレクトリＡＵＤＩＯ＿ＴＳは、別途に存在しないこともある。
【００３４】
一方、ディレクトリＤＶＤ＿ＥＮＡＶには、マークアップ文書のための再生制御情報ファイルＤＶＤ＿ＥＮＡＶ.ＩＦＯが記録されている。例えば、再生制御情報ファイルには当該ディレクトリの定義、構成、含まれたタイトルの数、タイトルに関する基本情報、タイトルに使われた言語、字幕、フォントに関する情報、解像度及び色相のようなマークアップ文書表示情報、著作権情報及びコンテンツ製作者が著作して入れたテキスト情報が記録される。さらに、ＤＶＤ＿ＥＮＡＶにはビデオタイトルと共に表示するためのインデックス文書ＩＮＤＥＸ.ＨＴＭ、ＤＶＤ＿ＩＮＡＶ.ＩＦＯのバックアップファイルＤＶＤ＿ＥＮＡＶ.ＢＵＰが保存され、その他のマークアップ文書が保存される。また、ＤＶＤ＿ＥＮＡＶにはＩＮＤＥＸ.ＨＴＭなどマークアップ文書に挿入されて共に表示されなければならないファイルも保存されうる。
【００３５】
図３は、本発明が適用されるインタラクティブＤＶＤのディレクトリ構造の他の例である。ルートディレクトリにはＡＶデータが含まれたビデオディレクトリＶＩＤＥＯ＿ＴＳ、オーディオデータが含まれたオーディオディレクトリＡＵＤＩＯ＿ＴＳ、インタラクティブプレゼンテーションモードを支援するための情報が含まれたインタラクティブプレゼンテーションディレクトリＤＶＤ＿ＥＮＡＶが設けられていることは、図２に示されたディレクトリ構造と同じであるが、ディレクトリＤＶＤ＿ＥＮＡＶにはマークアップ文書のための再生制御情報ファイルＤＶＤ＿ＥＮＡＶ.ＩＦＯが記録されておらず、ビデオタイトルと共に表示するためのインデックス文書ＩＮＤＥＸ.ＨＴＭだけでなく、フラッシュファイルであるＩＮＤＥＸ.ＳＷＦ、グラフィックファイル１.ＧＩＦ、２.ＧＩＦが記録されている構造よりなっている。
【００３６】
そして、ディレクトリＤＶＤ＿ＥＮＡＶにはマークアップ文書のための再生制御情報ファイルＤＶＤ＿ＥＮＡＶ.ＩＦＯが記録されていないので、このような役割を行うために、画面上には直接ディスプレイされていないが、ディレクトリＤＶＤ＿ＥＮＡＶ内のファイルの実行に先立って、再生装置の画面比と製作されたマークアップ文書の縦横比とを解釈し、解釈された結果に基づいて適切なフレローディング作業のための文書ＳＴＡＲＴ＿ＵＰ.ＨＴＭが保存されていることもある。
【００３７】
図４は、インタラクティブプレゼンテーションモードを説明するための参考図である。ユーザがインタラクティブＤＶＤディスクを再生装置に装着すれば、ＴＶ、モニターのようなディスプレイ装置に表示されたメニュー画面でインタラクティブプレゼンテーションモードを選択する。ＤＶＤが図２に示された構造を有する場合、再生装置はＤＶＤに記録されたマークアップ文書のための再生制御情報ファイルＤＶＤ＿ＥＮＡＶ.ＩＦＯを読み込んだ後、ＤＶＤ＿ＥＮＡＶ.ＩＦＯを解釈して開始文書として指定されたインデックス文書ＩＮＤＥＸ.ＨＴＭを読み込み、これに基づいて当該ビデオタイトルを再生する。また、ＩＮＤＥＸ.ＨＴＭにはＤＶＤ＿ＥＮＡＶ.ＩＦＯがリンクされているので、画面の解像度、マークアップ文書画面で表示される言語情報の言語を変更しようとする場合には、ＤＶＤ＿ＥＮＡＶ.ＩＦＯを通じて他のＩＮＤＥＸ.ＨＴＭに移動した後、これを読み込み、これに基づいて当該ビデオタイトルを再生しうる。
【００３８】
これに、図４の（ａ）のようになにも表示されていない状態で、（ｂ）のようにビデオタイトルが再生されたＡＶ画面とマークアップ文書（例えば、ＨＴＭＬ）とが再生されたマークアップ文書画面が共に表示されるインタラクティブプレゼンテーションモードでディスプレイされる。ここで、ＡＶ画面は、ＡＶデータが再生されかつディスプレイされてユーザの視覚に感知される画面を意味し、マークアップ文書画面は、マークアップ文書が再生されかつディスプレイされてユーザの視覚に感知される画面を意味する。例えば、ＡＶデータが映画である場合、マークアップ文書の表示窓には動映像が出力され、残りの部分には映画のシナリオ、あらすじ、出演俳優の写真など映画に関する多様な付加情報が表示される。付加情報は、イメージファイルまたはテキストファイルなどを含む。
【００３９】
図５は、本発明の望ましい実施例によるインタラクティブコンテンツバージョン情報が記録されるインタラクティブプレゼンテーションモードのための再生制御情報の内容及び構造の一例であって、図２に示されたインタラクティブプレゼンテーションディレクトリＤＶＤ＿ＥＮＡＶ内の再生制御情報ファイルＤＶＤ＿ＥＮＡＶ.ＩＦＯに保存される再生制御情報の内容及び構造を示す。
【００４０】
図５を参照するに、マークアップ文書のための再生制御情報ファイルＤＶＤ＿ＥＮＡＶ.ＩＦＯのコンテンツが記述されるＥＮＡＶ管理者（ＥＮＡＶ  Ｍａｎａｇｅｒ：ＥＭＧ）の構造は、マークアップ文書の検索情報や最初アクセスに関する情報、ＥＭＧの再生情報及びテキストデータ情報が記述されるＥＮＡＶ管理者情報（ＥＮＡＶ  Ｍａｎａｇｅｒ  ＩｎｆｏｒｍａｔｉｏｎＩＯＮ：ＥＭＧＩ）、再生制御情報とデータ検索情報とが保存されるＥＭＧメニュー用のＥＮＡＶオブジェクトセット（ＥＮＡＶ  Ｏｂｊｅｃｔ  Ｓｅｔ：ＥＯＢＳ）及びＥＭＧＩのバックアップファイルＥＭＧＩ＿ＢＵＰよりなりうる。
【００４１】
ＥＭＧＩは、ＥＮＡＶ管理者情報管理テーブル（ＥＮＡＶ  Ｍａｎａｇｅｒ  Ｉｎｆｏｒｍａｔｉｏｎ  Ｍａｎａｇｅｍｅｎｔ  Ｔａｂｌｅ：ＥＭＧＩ＿ＭＡＴ）、マークアップ文書のディスプレイ可能な言語の種類を指定するテーブルであるＥＮＡＶ  ＨＴＭＬディスプレイ可能な言語単位テーブル（ＥＮＡＶ  ＨＴＭＬ  Ｄｉｓｐｌａｙａｂｌｅ  Ｌａｎｇｕａｇｅ  Ｕｎｉｔ  Ｔａｂｌｅ）、テキストデータ管理者（Ｔｅｘｔ  Ｄａｔａ  Ｍａｎａｇｅｒ）を含むように具現されうる。
【００４２】
ＥＭＧＩ＿ＭＡＴにはＥＭＧの識別子、ＥＭＧ及びＥＭＧＩのサイズ、ＥＭＧ内の各情報の開始アドレス、ＥＮＡＶコンテンツの規格バージョン、本発明を具現するためのＥＮＡＶコンテンツを解釈しうる最小ＵＡのバージョン、ディスクの識別字、ＥＭＧメニュー用ＥＮＡＶオブジェクトセットＥＭＧＭ＿ＥＯＢＳの属性情報などが記述されている。
【００４３】
すなわち、再生装置がマークアップ文書を再生しうる最小限のインタラクティブコンテンツバージョン情報は、ＥＭＧＩ内のＥＭＧＩ＿ＭＡＴに次のようなフィールド名で記述される。
【００４４】
ＰＲＳ＿ＵＡ＿ＶＥＲＮの形態であり、サイズは２バイトとしうる。例えば、マークアップ文書を解釈しうる最小限のＵＡのバージョンナンバーが“０Ｘ１０”であれば、ＵＡが解釈しうるバージョンはマークアップ言語規格バージョン１.０を表す。
【００４５】
一方、マークアップ言語の場合のように、インタラクティブプレゼンテーションモードを支援するための再生制御情報ファイルにマルチメディア要素に対する再生装置が再生可能な最小限のビューアバージョン情報を追加することもあり、あるいはマークアップ文書内の＜ＨＥＡＤ＞タグ内の＜ＭＥＴＡ＞タグを使用してこのような情報を追加することもある。このように使用する理由は、マークアップ言語の場合、再生装置内のビューアがこれより上位バージョンに製作されたマークアップ文書は、最初から解釈できないため、マークアップ言語と関係のない再生制御情報データにマークアップ言語バージョン情報を追加したが、マークアップ文書に含まれるマルチメディア要素の場合には、マークアップ文書が解釈可能な場合にのみマルチメディア要素についてのバージョン情報が意味があるので、再生制御情報データに敢えて保存しなくともマークアップ文書内で情報を提供する役割を担当するタグである＜ＭＥＴＡ＞タグを使用しうる。その使用例は、次の通りである。
【００４６】
【表２】
2005523555.tif 000004
前記の＜例３＞のように、マークアップ文書内に含まれたフラッシュファイルは６.０バージョンに製作されても、５.０を支援するビューアが設置された再生装置でも作動しうる情報、すなわち、マルチメディア要素を再生しうる最小限のビューアのバージョン情報Ｍｉｎｉｍｕｍ  Ｖｅｒｓｉｏｎ  ５.０を追加することによって円滑な再生環境を提供しうる。
【００４７】
前記のような構成を有する情報保存媒体を記録しかつ再生する方法を説明すると、次の通りである。
【００４８】
図６は、本発明の望ましい実施例による記録方法を説明するためのフローチャートである。記録装置は、情報保存媒体にＡＶデータを記録した後（６０１段階）、ＡＶデータと共に再生されるためのマークアップ文書を記録するが、この時、図２及び図４に示された構造の再生制御情報ファイルＤＶＤ＿ＥＮＡＶ.ＩＦＯ内の再生制御情報管理情報（ＥＭＧＩ）にインタラクティブコンテンツの規格バージョンだけでなく、インタラクティブコンテンツを解釈しうる最小ＵＡのバージョン情報、すなわち、再生装置が再生可能な最小限のインタラクティブコンテンツバージョン情報を記録する（６０２段階）。
【００４９】
一方、６０２段階でマークアップ文書内にマルチメディア要素が存在すれば、マルチメディア要素の規格バージョン及びマルチメディア要素を再生しうる最小限のビューアのバージョン情報、すなわち、再生装置が再生可能な最小限のマルチメディアバージョン情報も記録しうる。マルチメディア要素を含むマークアップ文書が図２に示されたディレクトリ構造を有せば、マルチメディア要素のバージョン及びマルチメディア要素を再生しうる最小限のビューアのバージョン情報は、再生制御情報ファイルに保存され、マルチメディア要素を含むマークアップ文書が図３に示されたディレクトリ構造を有せば、マルチメディア要素のバージョン及びマルチメディア要素を再生しうる最小限のビューアのバージョン情報は、マークアップ文書内の＜ＭＥＴＡ＞タグ内に保存されうる。
【００５０】
図７は、本発明の望ましい一実施例による再生方法を説明するためのフローチャートであって、図２に示されたディレクトリ構造を有するインタラクティブコンテンツを再生する場合に適用されうる。
【００５１】
図７を参照するに、インタラクティブＤＶＤを再生装置に装着すれば（７０１段階）、再生装置のプレゼンテーションエンジン３は、ディスク内のファイルシステムを探索してマークアップ文書のための再生制御情報ファイルＤＶＤ＿ＥＮＡＶ.ＩＦＯを探す（７０２段階）。ここで、７０１段階を行った後にユーザによってインタラクティブプレゼンテーションモードを設定する段階またはデフォルトモードとしてインタラクティブプレゼンテーションモードが設定される段階がさらにあり得る。
【００５２】
開始マークアップ文書を実行させるためにリソースを示す固有アドレスが保存されたＩＦＯ＿ＵＲＩ（Ｕｎｉｆｏｒｍ  Ｒｅｓｏｒｃｅ  Ｉｄｅｎｔｉｆｉｅｒ）に指定されている再生制御情報ファイルＤＶＤ＿ＥＮＡＶ.ＩＦＯを解釈する（７０３段階）。インタラクティブ（ＥＮＡＶ）コンテンツの規格バージョン、すなわち、当該コンテンツを製作した製作道具によって自動的に書き込まれるマークアップ文書の規格バージョンを確認する（７０４段階）。
【００５３】
ここで、従来には再生装置内のＵＡが支援する規格バージョンよりインタラクティブコンテンツの規格バージョンが高い場合、再生装置は、製作者の意図したマークアップ文書画面を正しくディスプレイできなくなる。しかし、本発明では、図５のようにＤＶＤ＿ＥＮＡＶ.ＩＦＯファイル内に当該インタラクティブコンテンツを解釈しうる最小ＵＡのバージョン情報がさらに記録されているため、再生装置は、当該インタラクティブコンテンツを再生しうる機会を有する。
【００５４】
すなわち、インタラクティブコンテンツの規格バージョンが再生装置内のＵＡのバージョンより高ければ、再生制御情報ファイルＤＶＤ＿ＥＮＡＶ.ＩＦＯ内のインタラクティブコンテンツを解釈しうる最小ＵＡのバージョンナンバーを読み込む（７０５段階）。読み込んだインタラクティブコンテンツを解釈しうる最小ＵＡのバージョンナンバーが現在再生装置のＵＡバージョンより高いか否かを確認する（７０６段階）。７０６段階で確認結果がインタラクティブコンテンツを解釈しうる最小ＵＡのバージョンナンバーが現在再生装置のＵＡバージョンナンバーより高くなければ、ビデオタイトルと共に表示されるためのインデックス文書ＩＮＤＥＸ.ＨＴＭをディスプレイし（７０７段階）、インタラクティブコンテンツを解釈しうる最小ＵＡのバージョンナンバーが現在再生装置のＵＡバージョンナンバーより高ければ、現在の再生装置に装着されたディスクの再生を支援できないという警告メッセージをディスプレイする（７０８段階）。また、７０４段階で確認結果がインタラクティブコンテンツの規格バージョンが現在再生装置内のＵＡバージョンより高くなければ、ＩＮＤＥＸ.ＨＴＭをディスプレイする７０７段階を行う。
【００５５】
図８は、本発明の望ましい他の実施例による再生方法を説明するためのフローチャートであって、ＤＶＤ＿ＥＮＡＶ.ＩＦＯファイルがない図３に示されたディレクトリ構造を有するマルチメディア要素を含むマークアップ文書を再生する場合に適用されうる。
【００５６】
図８を参照するに、インタラクティブコンテンツ情報保存媒体を再生装置に装着する（８０１段階）。再生装置のプレゼンテーションエンジン３は、ディスク内のファイルシステムを探索してスタートアップマークアップ文書を探索する（８０２段階）。現在マークアップ文書を解釈して文法に合うかを検証した後にＤＯＭ（Ｄｏｃｕｍｅｎｔ  Ｏｂｊｅｃｔ  Ｍｏｄｅｌ）ツリーを形成して含まれた要素を構造化する（８０３段階）。付加的に、ＤＯＭツリーは、次のような規則に従う。第一に、全てのノードのルートノードは文書ノードと設定し、第二には、全てのテキストとエレメントとはノードを生成し、第三には、プロセシング命令、コメント及び文書タイプはノードを生成する。
【００５７】
テキスト以外のマルチメディア要素の存否を判断し（８０４段階）、マルチメディア要素が存在すれば、＜ＭＥＴＡ＞タグ内のマルチメディア要素の現在バージョンとこれを再生可能な最小ビューアバージョンとを確認し（８０５段階）、存在しなければ、現在ページを再生する８０８段階を行う。
【００５８】
マルチメディアの現在バージョンが再生装置内のビューアバージョンより高いか否かを判断し（８０６段階）、マルチメディアの現在バージョンが再生装置内のビューアバージョンより高ければ、再生可能な最小ビューアバージョンが再生装置内のビューアバージョンより高いか否かを判断する８０７段階を行い、高くなければ、現在ページを再生する８０８段階を行う。
【００５９】
８０７段階で、判断結果がマルチメディア要素の再生可能な最小ビューアバージョンが再生装置内のビューアバージョンより高くなければ、現在ページを再生し（８０８段階）、再生可能な最小ビューアバージョンが再生装置内のビューアバージョンより高ければ、当該マルチメディアのレイアウト領域に代替要素を再生する（８０９段階）。代替要素は、ユーザがマルチメディア再生可能な最小ビューアバージョンが再生装置内のビューアバージョンより高くて、当該マルチメディア要素を再生できないことの分かる文字メッセージまたは背景画面のようなグラフィックメッセージなどの多様な形態に具現されうる。
【００６０】
前記記録方法及び再生方法は、コンピュータプログラムに作成可能である。前記プログラムは、コンピュータ可読情報保存媒体に保存され、コンピュータによって読出されて実行されることによって、マークアップ文書とＡＶデータとを記録しかつ再生する方法を具現する。また、情報保存媒体は、磁気記録媒体、光記録媒体及びキャリヤウェーブ媒体を含む。
【産業上の利用可能性】
【００６１】
前述したように、本発明はマークアップ文書を解釈しうる最小限のＵＡのバージョン情報を追加することによって、再生装置が、任意のインタラクティブコンテンツバージョンを支援する製作道具で製作されたインタラクティブコンテンツであっても、さらに互換性を有してディスプレイしうる。
【００６２】
また、本発明はマークアップ文書と同様に、インタラクティブコンテンツに含まれるマルチメディア要素に対しても再生装置が再生可能な最小限のビューアバージョン情報を追加することによって、マルチメディア要素もさらに互換性を有して円滑に再生しうる。
【図面の簡単な説明】
【００６３】
【図１】本発明の望ましい実施例による再生装置のブロック図である。
【図２】インタラクティブプレゼンテーションモードを支援する情報保存媒体のディレクトリ構造の一例である。
【図３】インタラクティブプレゼンテーションモードを支援する情報保存媒体のディレクトリ構造の他の例である。
【図４】インタラクティブプレゼンテーションモードを説明するための参考図である。
【図５】本発明の望ましい実施例によるインタラクティブコンテンツバージョン情報が記録されるインタラクティブプレゼンテーションモードのための再生制御情報ファイルの内容及び構造の一例である。
【図６】本発明の望ましい実施例による記録方法を説明するためのフローチャートである。
【図７】本発明の望ましい一実施例による再生方法を説明するためのフローチャートである。
【図８】本発明の望ましい他の実施例による再生方法を説明するためのフローチャートである。
【図１】
2005523555.tif 000005
【図２】
2005523555.tif 000006
【図３】
2005523555.tif 000007
【図４】
2005523555.tif 000008
【図５】
2005523555.tif 000009
【図６】
2005523555.tif 000010
【図７】
2005523555.tif 000011
【図８】
2005523555.tif 000012
【国際調査報告】
2005523555.tif 000013